(57)【特許請求の範囲】
【請求項１】
表示孔を備えた筐体と、同筐体の表示孔の内側に設けられた筒状の囲み部材と、同囲み部材を介して、前記筐体に設けられた取付部により取り付けられた基板と、同基板に取り付けられ、前記囲み部材から臨ませた発光体とで構成されてなる表示装置において、
前記囲み部材の先端部内周面に、前記発光体を触指から保護する保護リブを付設したことを特徴とする表示装置。
【請求項２】
前記囲み部材を、前記筐体の表示孔の周縁部に連続形成したことを特徴とする請求項１に記載の表示装置。
【請求項３】
前記囲み部材の先端部を、前記基板に近接または当接させたことを特徴とする請求項２に記載の表示装置。
【請求項４】
前記取付部が、先端部に前記基板の周縁に係止する係止爪を備えて、前記筐体に突設された複数の係止片からなることを特徴とする請求項１乃至請求項３に記載の表示装置。
【請求項５】
前記基板の周縁に、前記係止片に対応して凹状に切欠した係止部を設けたことを特徴とする請求項４に記載の表示装置。
【請求項６】
前記保護リブを備えた前記囲み部材を前記基板上に立設し、該囲み部材の先端部を前記表示孔に挿入したことを特徴とする請求項１に記載の表示装置。
【請求項７】
前記保護リブを、前記囲み部材に複数付設したことを特徴とする請求項１または請求項６に記載の表示装置。
【請求項８】
前記保護リブを、前記囲み部材と一体的に形成したことを特徴とする請求項１、請求項２、請求項３、請求項６または請求項７に記載の表示装置。
【請求項９】
前記発光体が、発光ダイオードであることを特徴とする請求項１に記載の表示装置。
【発明の詳細な説明】
【０００１】
【発明の属する技術分野】
本発明は、空気調和機などに使用される表示装置に係わり、より詳細には、発光体を臨ませた囲み部材に、同発光体を触指から保護する保護リブを設けることにより、欧州規格などの内容に含まれている触指テストに適合するようにした構造に関する。
【０００２】
【従来の技術】
空気調和機などに使用される従来の表示装置は、例えば図１と、図４（Ａ）および図４（Ｂ）とで示すように、ベース２と、吸込グリル３’を備えて前記ベース２の前面に装着され、運転情報を表示するための表示孔３ａを備えた前面カバー３とで構成された空気調和機本体１の筐体と、前記前面カバー３の表示孔３ａの内側に設けられた筒状の囲み部材７と、同囲み部材７を介して、前記筐体を構成する前記前面カバー３に設けられた取付部により取り付けられた基板５と、同基板５に取り付けられ、前記囲み部材７から臨ませた発光体６とで表示部４が構成されてなり、発光した前記発光体６を前記表示孔３ａを通して視認できるようにした構造であった。
【０００３】
しかしながら、前記発光体６は、前記表示孔３ａから手指Ｂによる触指が可能な構成となっていることから、欧州規格などの内容に含まれている触指テストに適合させるために、図４（Ｃ）で示すように、前記表示孔３ａに透過性を有するアクリル板からなる保護カバー８を設けるなどの対策が講じられていたが、そのための作業性が悪くコスト的にも不利になってしまうという問題を有していた。
【０００４】
【発明が解決しようとする課題】
本発明においては、前記問題点に鑑み、発光体を臨ませた囲み部材に、同発光体を触指から保護する保護リブを設けることにより、欧州規格などの内容に含まれている触指テストに適合するようにした空気調和機などに使用される表示装置を提供することを目的とする。
【０００５】
【課題を解決するための手段】
本発明は、上記の課題を解決するため、表示孔を備えた筐体と、同筐体の表示孔の内側に設けられた筒状の囲み部材と、同囲み部材を介して、前記筐体に設けられた取付部により取り付けられた基板と、同基板に取り付けられ、前記囲み部材から臨ませた発光体とで構成されてなる表示装置において、
前記囲み部材の先端部内周面に、前記発光体を触指から保護する保護リブを付設した構成となっている。
【０００６】
また、前記囲み部材を、前記筐体の表示孔の周縁部に連続形成した構成となっている。
【０００７】
また、前記囲み部材の先端部を、前記基板に近接または当接させた構成となっている。
【０００８】
また、前記取付部が、先端部に前記基板の周縁に係止する係止爪を備えて、前記筐体に突設された複数の係止片からなる構成となっている。
【０００９】
また、前記基板の周縁に、前記係止片に対応して凹状に切欠した係止部を設けた構成となっている。
【００１０】
また、前記保護リブを備えた前記囲み部材を前記基板上に立設し、該囲み部材の先端部を前記表示孔に挿入した構成となっている。
【００１１】
また、前記保護リブを、前記囲み部材に複数付設した構成となっている。
【００１２】
また、前記保護リブを、前記囲み部材と一体的に形成した構成となっている。
【００１３】
更に、前記発光体が、発光ダイオードからなる構成となっている。
【００１４】
【発明の実施の形態】
以下、本発明の実施の形態を、添付図面に基づいた実施例として説明する。
図１と、図２（Ａ）乃至図２（Ｄ）と、図３（Ａ）乃至図３（Ｄ）とにおいて、１は本発明による表示装置が使用される空気調和機本体、２は同本体１の筐体が構成されるベース、３は同ベース２の前面に吸込グリル３’を備えて装着された前面カバー、４はリモコンＡから送信された運転情報を受信するとともに、同運転情報を後述する発光体により発光表示するための表示部である。
【００１５】
前記表示部４は、前記ベース２と、前記吸込グリル３’を備えて前記ベース２の前面に装着され、運転情報を表示するための表示孔３ａを備えた前記前面カバー３とで構成された空気調和機本体１の筐体と、前記前面カバー３の前記表示孔３ａの内側に設けられた筒状の囲み部材７と、同囲み部材７を介して、前記筐体を構成する前記前面カバー３に設けられた後述する取付部により取り付けられた基板５と、同基板５に取り付けられ、前記囲み部材７から臨ませた発光体６とで構成されてなり、発光した前記発光体６を前記表示孔３ａを通して視認できるようにした構造になっている。
【００１６】
前記囲み部材７の先端部内周面には、一実施例として図２（Ａ）および図２（Ｂ）で示すように、前記発光体６を手指Ｂによる触指から保護する保護リブ７ａを付設した構成となっており、
これによって、コスト的に有利にした簡便な構成により、前記発光体６は、前記表示孔３ａから手指Ｂによる触指が不可能になり、欧州規格などの内容に含まれている触指テストに適合するようにした構造となる。
【００１７】
また、前記囲み部材７を、前記筐体を構成する前記前面カバー３の表示孔３ａの周縁部に連続形成したことにより、寸法形状が正確に仕上げられるとともにコスト的に有利な構成となっている。
【００１８】
また、前記囲み部材７の先端部を、前記基板５に近接または当接させたことにより、前記基板５の強度を増強できるようにした構成となっている。
【００１９】
また、前記基板５に取り付けるための取付部が、一例として図３（Ａ）および図３（Ｂ）で示すように、先端部に前記基板５の周縁に係止する係止爪３ｃを備えて、前記筐体を構成する前記前面カバー３に突設された複数の係止片３ｂからなる構成となっており、
これによって、前記基板５を前記前面カバー３に対向させて容易に、且つ正確に取付できるようにした構成となっている。
【００２０】
また、前記基板５の周縁に、他の例として図３（Ｃ）および図３（Ｄ）で示すように、前記係止片３ｂに対応して凹状に切欠した係止部５ａを設けたことにより、前記基板５を、位置ズレが生じないようにより正確に取付できるようにした構成となっている。
【００２１】
また、他の実施例として図２（Ｃ）および図２（Ｄ）で示すように、前記保護リブ７ａを備えた前記囲み部材７を前記基板５上に立設し、該囲み部材７の先端部を前記表示孔３ａに挿入したことにより、上記に説明した一実施例の場合と同様に、前記発光体６は、前記表示孔３ａから手指Ｂによる触指が不可能になり、欧州規格などの内容に含まれている触指テストに適合するようにした構成となっている。
なお、上記に説明した一実施例と他の実施例とは、設計上の都合等に応じて何れか一方を選択して採用すればよい。
【００２２】
また、前記保護リブ７ａを、前記囲み部材７に複数付設したことにより、欧州規格などの内容に含まれている触指テストに、より確実に適合するようにした構成となっている。
【００２３】
また、前記保護リブ７ａを、前記囲み部材７と一体的に形成したことにより、寸法形状が正確に仕上げられるとともにコスト的に有利な構成となっている。
【００２４】
更に、前記発光体６が、発光ダイオード（ＬＥＤ）である構成となっており、これによって、前記空気調和機本体１の意匠性を向上させて、運転情報を正確に視認できるよう表示できるようにした構造となっている。
【００２５】
以上の構成により、図１と、図２（Ａ）乃至図２（Ｄ）と、図３（Ａ）乃至図３（Ｄ）とで示すように、前記囲み部材７の先端部内周面に、前記発光体６を手指Ｂによる触指から保護する保護リブ７ａを付設したので、コスト的に有利にした簡便な構成により、前記発光体６は、前記表示孔３ａから手指Ｂによる触指が不可能になり、欧州規格などの内容に含まれている触指テストに適合するようにした表示装置となる。
【００２６】
【発明の効果】
以上のように本発明によれば、発光体を臨ませた囲み部材に、同発光体を触指から保護する保護リブを設けることにより、欧州規格などの内容に含まれている触指テストに適合するようにした空気調和機などに使用される表示装置となる。
【図面の簡単な説明】
【図１】本発明および従来例による、空気調和機に使用される表示装置の説明図である。
【図２】本発明による表示装置の要部説明図で、（Ａ）は一実施例を示す斜視図であり、（Ｂ）は一実施例を示す断面図であり、（Ｃ）は他の実施例を示す斜視図であり、（Ｄ）は他の実施例を示す断面図である。
【図３】本発明による表示装置の要部説明図で、（Ａ）および（Ｂ）は一例を示す斜視図であり、（Ｃ）および（Ｄ）は他の例を示す斜視図である。
【図４】従来例による表示装置の要部説明図で、（Ａ）および（Ｂ）は触指テストの状態を示す断面図であり、（Ｃ）は保護カバーを装着した状態を示す断面図である。
【符号の説明】
１  空気調和機本体
２  ベース
３  前面カバー
３’  吸込グリル
３ａ  表示孔
３ｂ  係止片
３ｃ  係止爪
４  表示部
５  基板
５ａ  係止部
６  発光体
７  囲み部材
７ａ  保護リブ
【図１】
0003633248.tif 000002
【図２】
0003633248.tif 000003
【図３】
0003633248.tif 000004
【図４】
0003633248.tif 000005